(57)【特許請求の範囲】
【請求項１】
シート状の複数の媒体を積層状態で積載することが可能な積載部と、
前記積載部に積載された媒体に当接しつつ回転することによって媒体を給送するための給送ローラと、
第１支点を中心として揺動可能な第１アクチュエータと、
第２支点を中心として揺動可能な第２アクチュエータと、
前記第１アクチュエータと干渉する第１状態のときと干渉しない第２状態のときとで互いに異なる信号を出力する第１センサと、
前記第２アクチュエータと干渉する第１状態のときと干渉しない第２状態のときとで異なる信号を出力する第２センサとを備えており、
前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、
前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、
前記積載部における媒体の積載量が前記第１所定量から、前記第２所定量まで変化する間において、前記第１センサの状態の前記第１状態及び前記第２状態の２つの状態間での切替が１回又は２回行われ、
前記積載部における媒体の積載量が前記第３所定量から、前記第４所定量まで変化する間において、前記第２センサの状態の前記第１状態及び前記第２状態の２つの状態間での切替が１回又は２回行われ、
少なくとも１つの積載量において、前記第１センサの状態の切替及び前記第２センサの状態の切替の片方だけが行われ、
前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、
前記第１センサ及び前記第２センサの一方において状態の切替が２回行われ、
前記第１センサ及び前記第２センサの他方では、前記積載部における媒体の積載量が前記一方において行われる前記２回の状態の切替に対応した２つの積載量の間であるときに状態の切替が行われることを特徴とする給送装置。
【請求項２】
前記第１センサと前記第１支点とを通過する線分が、前記積載部に積載された媒体の表面に平行で前記第１支点を通過する平面となす角度は、前記第２センサと前記第２支点とを通過する線分が、前記積載部に積載された媒体の表面に平行で前記第２支点を通過する平面となす角度とは異なることを特徴とする請求項１に記載の給送装置。
【請求項３】
シート状の複数の媒体を積層状態で積載することが可能な積載部と、
前記積載部に積載された媒体に当接しつつ回転することによって媒体を給送するための給送ローラと、
第１支点を中心として揺動可能な第１アクチュエータと、
第２支点を中心として揺動可能な第２アクチュエータと、
前記第１アクチュエータと干渉する第１状態のときと干渉しない第２状態のときとで互いに異なる信号を出力する第１センサと、
前記第２アクチュエータと干渉する第１状態のときと干渉しない第２状態のときとで異なる信号を出力する第２センサとを備えており、
前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、
前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、
前記積載部における媒体の積載量が前記第１所定量から、前記第２所定量まで変化する間において、前記第１センサの状態の前記第１状態及び前記第２状態の２つの状態間での切替が１回又は２回行われ、
前記積載部における媒体の積載量が前記第３所定量から、前記第４所定量まで変化する間において、前記第２センサの状態の前記第１状態及び前記第２状態の２つの状態間での切替が１回又は２回行われ、
少なくとも１つの積載量において、前記第１センサの状態の切替及び前記第２センサの状態の切替の片方だけが行われ、
前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、
前記積載部に積載された媒体の表面と直交する方向への前記第１支点の位置と前記第２支点の位置とが互いに異なることを特徴とする給送装置。
【請求項４】
前記第１アクチュエータと前記第２アクチュエータとが、前記給送ローラによる媒体の給送方向に少なくとも一部において重なっていることを特徴とする請求項１〜３のいずれか１項に記載の給送装置。
【請求項５】
前記第１アクチュエータと前記第２アクチュエータとが、前記給送ローラによる媒体の給送方向に同じ位置にあることを特徴とする請求項４に記載の給送装置。
【請求項６】
前記第１センサと前記第２センサとが、前記給送ローラによる媒体の給送方向に同じ位置にあることを特徴とする請求項４又は５に記載の給送装置。
【請求項７】
シート状の複数の媒体を積層状態で積載することが可能な積載部と、
前記積載部に積載された媒体に当接しつつ回転することによって媒体を給送するための給送ローラと、
第１支点を中心として揺動可能な第１アクチュエータと、
第２支点を中心として揺動可能な第２アクチュエータと、
前記第１アクチュエータと干渉する第１状態のときと干渉しない第２状態のときとで互いに異なる信号を出力する第１センサと、
前記第２アクチュエータと干渉する第１状態のときと干渉しない第２状態のときとで異なる信号を出力する第２センサとを備えており、
前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、
前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、
前記積載部における媒体の積載量が前記第１所定量から、前記第２所定量まで変化する間において、前記第１センサの状態の前記第１状態及び前記第２状態の２つの状態間での切替が１回又は２回行われ、
前記積載部における媒体の積載量が前記第３所定量から、前記第４所定量まで変化する間において、前記第２センサの状態の前記第１状態及び前記第２状態の２つの状態間での切替が１回又は２回行われ、
少なくとも１つの積載量において、前記第１センサの状態の切替及び前記第２センサの状態の切替の片方だけが行われ、
前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、
前記第１アクチュエータの前記第１センサとの干渉個所と、前記第１アクチュエータの媒体との接触個所とが、前記第１支点に対して互いに反対側に位置しており、
前記第２アクチュエータの前記第２センサとの干渉個所と、前記第２支点とが、前記第２アクチュエータの媒体との接触個所に対して互いに反対側に位置していることを特徴とする給送装置。
【請求項８】
シート状の複数の媒体を積層状態で積載することが可能な積載部と、
前記積載部に積載された媒体に当接しつつ回転することによって媒体を給送するための給送ローラと、
第１支点を中心として揺動可能な第１アクチュエータと、
第２支点を中心として揺動可能な第２アクチュエータと、
前記第１アクチュエータと干渉する第１状態のときと干渉しない第２状態のときとで互いに異なる信号を出力する第１センサと、
前記第２アクチュエータと干渉する第１状態のときと干渉しない第２状態のときとで異なる信号を出力する第２センサと、
第３支点を中心として揺動可能であって、前記給送ローラを回動可能に支持するアームとを備えており、
前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、前記アームの前記第３支点と前記第３支点に対して前記給送ローラと同じ側にあって前記第３支点から最も離れた前記アームの先端との間に前記第１支点が設けられることによって前記アームに支持され、
前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、前記アームの前記第３支点と前記アームの先端との間に前記第２支点が設けられることによって前記アームに支持され、
前記積載部における媒体の積載量が前記第１所定量から、前記第２所定量まで変化する間において、前記第１センサの状態の前記第１状態及び前記第２状態の２つの状態間での切替が１回又は２回行われ、
前記積載部における媒体の積載量が前記第３所定量から、前記第４所定量まで変化する間において、前記第２センサの状態の前記第１状態及び前記第２状態の２つの状態間での切替が１回又は２回行われ、
少なくとも１つの積載量において、前記第１センサの状態の切替及び前記第２センサの状態の切替の片方だけが行われ、
前記第１アクチュエータに係る前記第１所定量から前記第２所定量までの積載量の範囲と、前記第２アクチュエータに係る前記第３所定量から前記第４所定量までの積載量の範囲とが少なくとも一部において重複していることを特徴とする給送装置。
【請求項９】
前記第１及び第２センサが前記アームに支持されていることを特徴とする請求項８に記載の給送装置。
【発明の詳細な説明】
【技術分野】
【０００１】
本発明は、シート状の媒体を給送する給送装置に関する。
【背景技術】
【０００２】
特許文献１には、プリンタ等の給送装置に採用される残量検出装置が記載されている。この残量検出装置は、筐体に回動可能に支持されたアクチュエータと、２つの光センサとを有する。アクチュエータは、給紙トレイ内のシート状の媒体の残量に応じて回動する突出部を有している。２つの光センサは、突出部と干渉することでアクチュエータの状態を検出し、給紙トレイ内の媒体の残量を検出する。
【先行技術文献】
【特許文献】
【０００３】
【特許文献１】特開平５−９７２７８号公報
【発明の概要】
【発明が解決しようとする課題】
【０００４】
上記特許文献１に記載の残量検出装置においては、１つのアクチュエータと２つの光センサとによって、給紙トレイ内の媒体の残量を３段階で検出することが可能である。しかしながら、２つの光センサは突出部の回動軌跡上に順に配置され、回動する１つのアクチュエータの突出部を２つの光センサで検出する構成であるため、アクチュエータの回転支点から突出部の光センサとの干渉部分までの距離が比較的長いものとなる。
【０００５】
特許文献１の残量検出装置においては、給紙トレイに載置された媒体の積層方向に関して、２つの光センサがアクチュエータの回転支点よりも媒体側に配置されている。アクチュエータの回転支点から突出部の干渉部分まではある程度の長さが必要であるため、アクチュエータの回転支点を媒体から大きく離れた位置に配置する必要があり、アクチュエータ自体が大型化する。仮に、媒体の積層方向に関して、２つの光センサをアクチュエータの回転支点よりも媒体から離れた位置に配置した場合、回転支点自体は媒体に近づく構成となるが、回転支点から突出部の干渉部分まではある程度の長さが必要であるため、アクチュエータ自体は大型のままである。このようにアクチュエータが大型であると、当該残量検出装置を採用する給送装置のサイズも、媒体の表面と直交する方向に関して、大型化する。
【０００６】
そこで、本発明の目的は、多段階残量検知を実現しつつ、媒体の積層方向への給送装置のサイズを小さくすることが可能な給送装置を提供することである。
【課題を解決するための手段】
【０００７】
本発明の給送装置は、第１の観点では、シート状の複数の媒体を積層状態で積載することが可能な積載部と、前記積載部に積載された媒体に当接しつつ回転することによって媒体を給送するための給送ローラと、第１支点を中心として揺動可能な第１アクチュエータと、第２支点を中心として揺動可能な第２アクチュエータと、前記第１アクチュエータと干渉する第１状態のときと干渉しない第２状態のときとで互いに異なる信号を出力する第１センサと、前記第２アクチュエータと干渉する第１状態のときと干渉しない第２状態のときとで異なる信号を出力する第２センサとを備えている。そして、前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、前記積載部における媒体の積載量が前記第１所定量から、前記第２所定量まで変化する間において、前記第１センサの状態の前記第１状態及び前記第２状態の２つの状態間での切替が１回又は２回行われ、前記積載部における媒体の積載量が前記第３所定量から、前記第４所定量まで変化する間において、前記第２センサの状態の前記第１状態及び前記第２状態の２つの状態間での切替が１回又は２回行われ、少なくとも１つの積載量において、前記第１センサの状態の切替及び前記第２センサの状態の切替の片方だけが行われる。前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、前記第１センサ及び前記第２センサの一方において状態の切替が２回行われ、前記第１センサ及び前記第２センサの他方では、前記積載部における媒体の積載量が前記一方において行われる前記２回の状態の切替に対応した２つの積載量の間であるときに状態の切替が行われる。
また、本発明の給送装置は、第２の観点では、シート状の複数の媒体を積層状態で積載することが可能な積載部と、前記積載部に積載された媒体に当接しつつ回転することによって媒体を給送するための給送ローラと、第１支点を中心として揺動可能な第１アクチュエータと、第２支点を中心として揺動可能な第２アクチュエータと、前記第１アクチュエータと干渉する第１状態のときと干渉しない第２状態のときとで互いに異なる信号を出力する第１センサと、前記第２アクチュエータと干渉する第１状態のときと干渉しない第２状態のときとで異なる信号を出力する第２センサとを備えている。そして、前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、前記積載部における媒体の積載量が前記第１所定量から、前記第２所定量まで変化する間において、前記第１センサの状態の前記第１状態及び前記第２状態の２つの状態間での切替が１回又は２回行われ、前記積載部における媒体の積載量が前記第３所定量から、前記第４所定量まで変化する間において、前記第２センサの状態の前記第１状態及び前記第２状態の２つの状態間での切替が１回又は２回行われ、少なくとも１つの積載量において、前記第１センサの状態の切替及び前記第２センサの状態の切替の片方だけが行われる。前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、前記積載部に積載された媒体の表面と直交する方向への前記第１支点の位置と前記第２支点の位置とが互いに異なる。
また、本発明の給送装置は、第３の観点では、シート状の複数の媒体を積層状態で積載することが可能な積載部と、前記積載部に積載された媒体に当接しつつ回転することによって媒体を給送するための給送ローラと、第１支点を中心として揺動可能な第１アクチュエータと、第２支点を中心として揺動可能な第２アクチュエータと、前記第１アクチュエータと干渉する第１状態のときと干渉しない第２状態のときとで互いに異なる信号を出力する第１センサと、前記第２アクチュエータと干渉する第１状態のときと干渉しない第２状態のときとで異なる信号を出力する第２センサとを備えている。そして、前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、前記積載部における媒体の積載量が前記第１所定量から、前記第２所定量まで変化する間において、前記第１センサの状態の前記第１状態及び前記第２状態の２つの状態間での切替が１回又は２回行われ、前記積載部における媒体の積載量が前記第３所定量から、前記第４所定量まで変化する間において、前記第２センサの状態の前記第１状態及び前記第２状態の２つの状態間での切替が１回又は２回行われ、少なくとも１つの積載量において、前記第１センサの状態の切替及び前記第２センサの状態の切替の片方だけが行われる。前記第１アクチュエータに係る前記第１所定量から前記第２所定量までの積載量の範囲と、前記第２アクチュエータに係る前記第３所定量から前記第４所定量までの積載量の範囲とが少なくとも一部において重複しており、前記第１アクチュエータの前記第１センサとの干渉個所と、前記第１アクチュエータの媒体との接触個所とが、前記第１支点に対して互いに反対側に位置しており、前記第２アクチュエータの前記第２センサとの干渉個所と、前記第２支点とが、前記第２アクチュエータの媒体との接触個所に対して互いに反対側に位置している。
また、本発明の給送装置は、第４の観点では、シート状の複数の媒体を積層状態で積載することが可能な積載部と、前記積載部に積載された媒体に当接しつつ回転することによって媒体を給送するための給送ローラと、第１支点を中心として揺動可能な第１アクチュエータと、第２支点を中心として揺動可能な第２アクチュエータと、前記第１アクチュエータと干渉する第１状態のときと干渉しない第２状態のときとで互いに異なる信号を出力する第１センサと、前記第２アクチュエータと干渉する第１状態のときと干渉しない第２状態のときとで異なる信号を出力する第２センサと、第３支点を中心として揺動可能であって、前記給送ローラを回動可能に支持するアームとを備えている。そして、前記第１アクチュエータは、前記積載部における媒体の積載量が第１所定量からこれよりも少ない第２所定量まで変化する間において、前記積載部に積載された媒体と接触し且つ媒体の積載量が減少するに連れて前記第１支点を中心として揺動し、前記アームの前記第３支点と前記第３支点に対して前記給送ローラと同じ側にあって前記第３支点から最も離れた前記アームの先端との間に前記第１支点が設けられることによって前記アームに支持され、前記第２アクチュエータは、前記積載部における媒体の積載量が第３所定量からこれよりも少ない第４所定量まで変化する間において、前記積載部に積載された媒体と接触し且つ媒体の積載量が減少するに連れて前記第２支点を中心として揺動し、前記アームの前記第３支点と前記アームの先端との間に前記第２支点が設けられることによって前記アームに支持され、前記積載部における媒体の積載量が前記第１所定量から、前記第２所定量まで変化する間において、前記第１センサの状態の前記第１状態及び前記第２状態の２つの状態間での切替が１回又は２回行われ、前記積載部における媒体の積載量が前記第３所定量から、前記第４所定量まで変化する間において、前記第２センサの状態の前記第１状態及び前記第２状態の２つの状態間での切替が１回又は２回行われ、少なくとも１つの積載量において、前記第１センサの状態の切替及び前記第２センサの状態の切替の片方だけが行われる。前記第１アクチュエータに係る前記第１所定量から前記第２所定量までの積載量の範囲と、前記第２アクチュエータに係る前記第３所定量から前記第４所定量までの積載量の範囲とが少なくとも一部において重複している。
【発明の効果】
【０００８】
本発明の給送装置によると、２つのアクチュエータと２つのセンサとを用いて媒体の残量を検出しており、且つ、少なくとも１つの積載量では２つのセンサの状態の切替の片方だけが行われるので、媒体の残量を３段階又は４段階で判別することができる。また、各アクチュエータとして、対応する１つのセンサと干渉する、比較的短い小型のアクチュエータを用いることができる。さらに、２つのアクチュエータが共に媒体に接触することが可能な媒体の積載量の範囲が存在しているので、積載部での媒体の積層方向への２つのアクチュエータの位置が大きく異なることがない。したがって、３段階又は４段階の多段階残量検知を実現しつつ、媒体の積層方向への給送装置のサイズを小さくすることができる。
【図面の簡単な説明】
【０００９】
【図１】本発明に係る一実施形態の給紙装置が採用された複合機の斜視図である。
【図２】図１に示すプリンタ部の内部構造を示す概略側面図である。
【図３】給紙部を示す斜視図である。
【図４】（ａ）は給紙部のアーム本体と２つのアクチュエータとの長さ関係を説明するための説明図であり、（ｂ）は給紙部の２つのセンサの配置角度を説明するための説明図である。
【図５】センサの概略平面図である。
【図６】（ａ）は給紙トレイの用紙積載量が所定量Ａ１であるときの２つのアクチュエータと２つのセンサとの位置関係を示す概略図であり、（ｂ）は給紙トレイの用紙積載量が所定量Ａ２であるときの２つのアクチュエータと２つのセンサとの位置関係を示す概略側面図である。
【図７】（ａ）は給紙トレイの用紙積載量が所定量Ａ２から１枚の用紙が減った状態での２つのアクチュエータと２つのセンサとの位置関係を示す概略図であり、（ｂ）は給紙トレイの用紙積載量が所定量Ａ３であるときの２つのアクチュエータと２つのセンサとの位置関係を示す概略図である。
【図８】（ａ）は給紙トレイの用紙積載量が所定量Ａ３から１枚の用紙が減った状態での２つのアクチュエータと２つのセンサとの位置関係を示す概略図であり、（ｂ）は給紙トレイの用紙積載量が所定量Ａ４であるときの２つのアクチュエータと２つのセンサとの位置関係を示す概略側面図である。
【図９】給紙トレイに用紙がないときの２つのアクチュエータと２つのセンサとの位置関係を示す概略側面図である。
【図１０】制御部のブロック図である。
【図１１】２つのセンサの状態に対応する用紙残量を示す説明図である。
【図１２】本発明に係る一実施形態の給紙装置の給紙部の変形例であって、下方から見たときの平面図である。
【図１３】本発明に係る一実施形態の給紙装置の給紙部の別の変形例であり、（ａ）は給紙トレイの用紙積載量が所定量Ａ２であるときの２つのアクチュエータと２つのセンサとの位置関係を示す概略側面図であり、（ｂ）は給紙トレイの用紙積載量が所定量Ａ３であるときの２つのアクチュエータと２つのセンサとの位置関係を示す概略側面図である。
【図１４】本発明に係る一実施形態の給紙装置の給紙部の別の変形例であり、（ａ）は給紙トレイの用紙積載量が所定量Ａ４であるときの２つのアクチュエータと２つのセンサとの位置関係を示す概略側面図であり、（ｂ）は給紙トレイに用紙がないときの２つのアクチュエータと２つのセンサとの位置関係を示す概略側面図である。
【発明を実施するための形態】
【００１０】
以下、適宜図面を参照して本発明の好適な実施の形態について説明する。以下の説明においては、本発明に係る一実施形態である給紙装置２０が採用された複合機１０が使用可能に設置された状態（図１の状態）を基準として上下方向Ｄ１が定義され、開口１３が設けられている側を手前側（正面）として前後方向Ｄ２が定義され、複合機１０を手前側（正面）から見て左右方向Ｄ３が定義される。
【００１１】
［複合機１０の全体構造］
図１に示すように、複合機１０は、略直方体形状を有し、下部にプリンタ部１１が設けられている。複合機１０は、ファクシミリ機能及びプリント機能などの各種の機能を有している。複合機１０は、プリント機能として、インクジェット方式で用紙１２（シート状の媒体：図２参照）の片面に画像を記録する機能を有している。なお、複合機１０は、用紙１２の両面に画像を記録するものであってもよい。また、複合機１０の上面前方には、表示部１５０が設けられている。表示１５０は、複合機１０の状態（例えば、用紙残量など）を表示する。
【００１２】
プリンタ部１１は、図２に示すように、筐体１１ａ、用紙１２を複合機１０の内部において搬送する搬送装置１、記録部４０及び制御部１８０などを有する。筐体１１ａは、プリンタ部１１の本体フレームであって、図２に示すように、搬送装置１、記録部４０及び制御部１８０を収容する。搬送装置１は、用紙１２を複合機１０の内部において搬送する。搬送装置１は、後述する、給紙装置２０、プラテン４２、搬送ローラ対５０及び排出ローラ対６０を含む。
【００１３】
給紙装置２０は、給紙トレイ２１から用紙１２をピックアップして搬送路３５に給送する。搬送ローラ対５０は、給紙装置２０によって搬送路３５に給送された用紙１２を図２に示す一点鎖線の矢印で示される搬送向き１５の下流側、すなわち、前方に搬送する。プラテン４２は、搬送ローラ対５０によって搬送される用紙１２を下側から支持する。記録部４０は、プラテン４２によって支持された用紙１２にインク滴を吐出することによって画像を記録する。排出ローラ対６０は、記録部４０によって画像が記録された用紙１２を前方に搬送し、排出トレイ２２に排出する。
【００１４】
［給紙装置２０］
続いて、給紙装置２０について、図１〜図８を参照しつつ以下に説明する。給紙装置（給送装置）２０は、図２に示すように、給紙トレイ２１と、給紙部７０とを有する。給紙部７０は、給紙トレイ２１から用紙１２をピックアップして搬送路３５に給送する。本実施形態における給紙部７０は、用紙１２を後方に向けて給送する。
【００１５】
図１に示すように、プリンタ部１１の正面には、開口１３が形成されている。給紙トレイ（積載部）２１は、開口１３を通じて前後方向Ｄ２に挿抜可能に筐体１１ａに支持されている。給紙トレイ２１は、その底面２１ａに複数の用紙１２が積層状態で積載されることで、複数の用紙１２を収容する。給紙トレイ２１の上側には、排出トレイ２２が配置されている。排出トレイ２２は、給紙トレイ２１と一体に移動する。排出トレイ２２は、記録部４０によって画像が記録され、且つ排出ローラ対６０によって排出された用紙１２を支持する。
【００１６】
［給紙部７０］
給紙部７０は、図２に示すように、搬送路３５より搬送向き１５の上流側であって、給紙トレイ２１の上方で且つ記録部４０の下方に設けられている。給紙部７０は、図２及び図３に示すように、給紙ローラ７１と、アーム７２と、伝達機構７３と、２つのアクチュエータ７４，７５と、２つのセンサ７６，７７とを有する。
【００１７】
アーム７２は、図３に示すように、アーム本体７２ａと、このアーム本体７２ａと一体化された支持フレーム７２ｂとを有する。アーム本体７２ａは、図２に示すように、前後方向Ｄ２の前方寄りの基端部に設けられた支軸７９（第３支点）を中心として、左右方向Ｄ３における左から右に向かってみたときに、矢印Ｅ１向き（反時計回り）及び矢印Ｅ２向き（時計回り）に揺動可能に筐体１１ａに支持されている。これにより、アーム７２も筐体１１ａに対して矢印Ｅ１向き及び矢印Ｅ２向きに揺動可能に構成される。支軸７９は、筐体１１ａに固定されており、上下方向Ｄ１に関して給紙トレイ２１よりも上方に配置されている。アーム本体７２ａは、前後方向Ｄ２の後方寄りに位置する先端部に給紙ローラ７１を回転可能に支持し、その自重により、矢印Ｅ１の下側の向き（図１において反時計回りの向き）に付勢されている。これにより、給紙トレイ２１が筐体１１ａに装着されている状態において、給紙ローラ７１は、給紙トレイ２１に積載された用紙１２に対して、接触可能となる。
【００１８】
なお、アーム７２には、筐体１１ａに対して給紙トレイ２１を挿抜する際に給紙トレイ２１の側壁と一時的に係合することでアーム７２を回動させて、アーム７２全体を支軸７９とほぼ同じ高さレベルまで一時的に上昇させて退避させる退避部材（不図示）が設けられている。これにより、最大積載量の用紙１２が収容された給紙トレイ２１を、筐体１１ａに対して挿抜する際に、給紙トレイ２１の用紙１２と給紙ローラ７１及び２つのアクチュエータ７４，７５とが干渉しなくなり、給紙トレイ２１の挿抜動作をスムーズに行うことが可能となる。
【００１９】
伝達機構７３は、図３に示すように、アーム本体７２ａ内において、左右方向Ｄ３に沿う回転軸（不図示）を中心として回転可能に支持された複数のギア７３ａを有する。なお、ギア７３ａは、図３において４つ図示されているが、アーム本体７２ａの先端部内であって、後述の一対のローラ７１ａ間には、図３において図示されていない１つのギア７３ａが設けられている。これら複数のギア７３ａは互いに噛合されて配置されている。そして、アーム本体７２ａの基端に配置されたギア７３ａに、給紙モータ７１Ｍ（図９参照）の駆動力が伝達されることで、これら複数のギア７３ａが回転する。
【００２０】
給紙ローラ（給送ローラ）７１は、一対のローラ７１ａを有する。一対のローラ７１ａは、アーム本体７２ａの先端部内を左右方向Ｄ３に挟んで配置されている。また、一対のローラ７１ａは、アーム本体７２ａの先端部内に設けられた図示しないギア７３ａの回転軸に固定されている。これにより、伝達機構７３の複数のギア７３ａが給紙モータ７１Ｍの駆動力によって回転することで、給紙ローラ７１も回転する。この給紙ローラ７１の回転により、給紙トレイ２１の用紙１２が搬送路３５に向けて給送される。
【００２１】
支持フレーム７２ｂは、図３に示すように、略箱形状を有しており、アーム本体７２ａの左右方向Ｄ３の左側壁に設けられている。支持フレーム７２ｂ内には、２つのアクチュエータ７４，７５と、２つのセンサ７６，７７とが設けられている。つまり、支持フレーム７２ｂは、これらアクチュエータ７４，７５及びセンサ７６，７７を支持するためのフレームである。支持フレーム７２ｂには、左右方向Ｄ３に延在する２つの支軸７２ｂ１，７２ｂ２が設けられている。支軸７２ｂ１は、図４（ａ）に示すように、支軸７９と支軸７２ｂ２との間に配置されている。より具体的には、支軸７２ｂ１は、上下方向Ｄ１において支軸７９と支軸７２ｂ２との間に配置されており、前後方向Ｄ２においても支軸７９と支軸７２ｂ２との間に配置されている。換言すると、支軸７２ｂ２は、支軸７２ｂ１よりも支軸７９から離れている。支持フレーム７２ｂの底部７２ｂ３には、上下方向Ｄ１に貫通する２つの開口部（不図示）が形成されている。これら開口部は、アクチュエータ７４，７５と上下方向Ｄ１にそれぞれ対向している。これにより、アクチュエータ７４，７５が支持フレーム７２ｂから開口部を介して出入り可能となり、用紙１２と接触可能となる。
【００２２】
アクチュエータ７４は、図３及び図４に示すように、支軸７２ｂ１（第１支点）を中心として揺動可能に支持フレーム７２ｂに支持されている。アクチュエータ７４は、前後方向Ｄ２における前方寄りに位置する前方部７４ａと、後方寄りに位置する後方部７４ｂと、これら前方部７４ａと後方部７４ｂとを接続する接続部７４ｃとを有する。前方部７４ａ及び後方部７４ｂはともに支軸７２ｂ１と直交する方向に沿って延在している。接続部７４ｃは左右方向Ｄ３に延在している。前方部７４ａと後方部７４ｂとは、左右方向Ｄ３にずれて配置されている。アクチェエータ７４は、後方部７４ｂの延在方向の中央部分における上下方向Ｄ１の下部において、支軸７２ｂ１によって支持されている。また、支軸７２ｂ１の外周には、図４（ａ）に示すように、コイルバネ７４ｄ（付勢部材）が設けられている。コイルバネ７４ｄの一端は後方部７４ｂに係合し、他端は支持フレーム７２ｂに係合しており、図４（ａ）に示すように、左右方向Ｄ３における左から右に向かって見たときに、コイルバネ７４ｄはアクチュエータ７４を反時計回り、すなわち、矢印Ｆ１方向に付勢する。
【００２３】
図４（ａ）に示すように、アクチュエータ７４と給紙トレイ２１に積載された用紙１２とが接触する接触箇所７４ｅは、後方部７４ｂにおける上下方向Ｄ１の下部となっており、前後方向Ｄ２に関して支軸７２ｂ１よりも支軸７９から離れた位置にある。これからもアクチュエータ７４は、アーム７２と同じ方向に揺動する構成となる。具体的には、給紙トレイ２１の用紙１２が減少すると、アーム７２は矢印Ｅ１の向きに揺動する。このとき、アクチュエータ７４も同じ向き（矢印Ｆ１）に揺動する。
【００２４】
アクチュエータ７４の前方部７４ａには、干渉部７４ａ１と、当接部７４ａ２とが設けられている。干渉部７４ａ１は、前方部７４ａの前後方向Ｄ２における前方寄りに形成されており、後述するようにセンサ７６と干渉可能に構成されている。当接部７４ａ２は、干渉部７４ａ１よりも前後方向Ｄ２における後方寄りにおいて、干渉部７４ａ１よりも上下方向Ｄ１の基部から上方に突出しており、後述の筐体１１ａのフレーム１１ａ１に当接可能に構成されている。
【００２５】
アクチュエータ７４は、図４（ａ）に示すように、アーム本体７２ａよりもその長さが短く構成されている。詳細には、アーム本体７２ａの支軸７２ｂ１からアーム本体７２ａの先端（支軸７９に対して給紙ローラ７１と同じ側にあって支軸７９から最も離れたアーム７２の先端）までの仮想直線Ｌ１ａの距離は、アクチュエータ７４の支軸７９から最も離れた位置から支軸７２ｂ１までの仮想直線Ｌ１ｂの距離よりも長い。さらに、アーム本体７２ａの支軸７２ｂ１から支軸７９までの仮想直線Ｌ１ｃの距離は、アクチュエータ７４の支軸７９に最も近い位置から支軸７２ｂ１までの仮想直線Ｌ１ｄの距離よりも長い。
【００２６】
アクチュエータ７５は、図３及び図４（ａ）に示すように、支軸７２ｂ２（第２支点）を中心として揺動可能に支持フレーム７２ｂに支持されている。アクチュエータ７５は、前後方向Ｄ２における前方寄りに位置する前方部７５ａと、後方寄りに位置する後方部７５ｂと、これら前方部７５ａと後方部７５ｂとを接続する接続部７５ｃとを有する。後方部７５ｂは、支軸７２ｂ２と直交する方向に延在している。接続部７５ｃは、後方部７５ｂの延在方向の中央よりもやや前方部分から左右方向Ｄ３に延在している。前方部７５ａは、接続部７５ｃの右側端部から前方に延在している。このようにアクチュエータ７５も、前方部７５ａと後方部７５ｂとが左右方向Ｄ３にずれて配置されている。前方部７５ａは、後述するようにセンサ７７と干渉可能な干渉部７５ａ１を有している。アクチェエータ７５は、後方部７５ｂの後方端部において、支軸７２ｂ２によって支持されている。これにより、アクチュエータ７５は自重により、図４中時計回り、すなわち、矢印Ｆ２方向に付勢される。
【００２７】
図４（ａ）に示すように、アクチュエータ７５と給紙トレイ２１に積載された用紙１２とが接触する接触箇所７５ｅは、後方部７５ｂの中央における上下方向Ｄ１の下部となっており、前後方向Ｄ２に関して支軸７２ｂ２が接触箇所７５ｅよりも支軸７９から離れた位置にある。これからもアクチュエータ７５は、アーム７２とは逆向きに揺動する構成となる。具体的には、給紙トレイ２１の用紙１２が減少すると、アーム７２は矢印Ｅ１に揺動する。このとき、アクチュエータ７５は矢印Ｆ２に揺動する。
【００２８】
また、アクチュエータ７５も、図４（ａ）に示すように、アーム本体７２ａよりもその長さが短く構成されている。つまり、アーム本体７２ａの支軸７２ｂ２からアーム本体７２ａの先端（支軸７９に対して給紙ローラ７１と同じ側にあって支軸７９から最も離れたアーム７２の先端）までの仮想直線Ｌ２ａの距離は、アクチュエータ７５の支軸７９から最も離れた位置から支軸７２ｂ２までの仮想直線Ｌ２ｂの距離よりも長い。アーム本体７２ａの支軸７２ｂ２から支軸７９までの仮想直線Ｌ２ｃの距離は、アクチュエータ７５の支軸７９に最も近い位置から支軸７２ｂ２までの仮想直線Ｌ２ｄの距離よりも長い。このようにアクチュエータ７５は、アーム本体７２ａよりもその長さが短く構成されている。
【００２９】
また、アクチュエータ７５は、左右方向Ｄ３に沿ってアクチュエータ７４と並んで配置されている。換言すると、２つのアクチュエータ７４，７５は、前後方向Ｄ２（給紙ローラ７１による用紙１２の給送方向）に関して、ほぼ同じ位置に配置されている。このため、給紙装置２０の前後方向Ｄ２に関するサイズを小さくすることができる。
【００３０】
図４（ａ）に示すように、アクチュエータ７４は、干渉部７４ａ１（干渉箇所）と接触箇所７４ｅとが、支軸７２ｂ１に対して互いに反対側に位置している。また、アクチュエータ７５は、干渉部７５ａ１（干渉箇所）と支軸７２ｂ２とが、接触箇所７５ｅに対して互いに反対側に位置している。このように２つのアクチュエータ７４，７５は、給紙トレイ２１に積載された用紙１２が減少するのに伴って、互いに逆方向（アクチュエータ７４は矢印Ｆ１、アクチュエータ７５は矢印Ｆ２）に揺動する。
【００３１】
２つのセンサ７６，７７は、図３及び図４に示すように、左右方向Ｄ３及び上下方向Ｄ１に若干ずれて配置されているものの、前後方向Ｄ２にほぼ同じ位置に配置されている。このため、２つのセンサ７６，７７を互いに近い位置に配置できる。このため、支持フレーム７２ｂに設けられた１つの配線基板７８に取り付けやすくなる。このように２つのセンサ７６，７７が１つの基板７８に取り付けられることで、センサ毎に配線基板を設けるよりも、部品点数を削減できるとともに、製造コストを減少させることが可能となる。また、２つのセンサ７６，７７が、配線基板７８を介して、アクチュエータ７４，７５を支持する支持フレーム７２ｂに支持されているため、センサ７６とアクチュエータ７４の干渉部７４ａ１、及び、センサ７７とアクチュエータ７５の干渉部７５ａ１との位置合わせがしやすくなる。このため、高精度の残量検知が可能となる。
【００３２】
２つのセンサ７６，７７は、図５に示すように、発光ダイオード（ＬＥＤ）などの発光素子７６ａ，７７ａと、フォトトランジスタなどの受光素子７６ｂ，７７ｂと、筐体７６ｃ，７７ｃとをそれぞれ有する透過型光センサである。これら２つのセンサ７６，７７は同じ構成であるため、センサ７６について説明する。
【００３３】
発光素子７６ａ及び受光素子７６ｂは、それぞれが筐体７６ｃに囲まれている。筐体７６ｃは、図５に示すように、コの字状の平面形状を有する。発光素子７６ａは、筐体７６ｃの右側壁部に設けられており、左方に光を照射可能に配置されている。受光素子７６ｂは、筐体７６ｃの左側壁部に設けられており、発光素子７６ａから照射された光を受光可能に配置されている。このように発光素子７６ａと受光素子７６ｂとが、コの字状の筐体７６ｃにおいて左右方向Ｄ３へ所定の間隔をあけて対向配置されている。センサ７６の発光素子７６ａと受光素子７６ｂとの間の空間（センサ７６の光路）には、アクチュエータ７４の干渉部７４ａ１が進入可能である。センサ７６の光路に干渉部７４ａ１が進入し、発光素子７６ａから受光素子７６ｂへの光を遮断すると（つまりセンサ７６がアクチュエータ７４と干渉すると）、センサ７６は「ＯＮ状態」となり、センサ７６が制御部１８０にＯＮ状態であることを示す信号を出力する。一方、センサ７６の光路から干渉部７４ａ１が退避し、発光素子７６ａからの光を受光素子７６ｂが受光すると、センサ７６は「ＯＦＦ状態」となり、センサ７６が制御部１８０にＯＦＦ状態であることを示す信号を出力する。
【００３４】
なお、センサ７７は、センサ７６と同様に、発光素子７７ａと受光素子７７ｂとを有する。これら発光素子７７ａと受光素子７７ｂも、コの字状の筐体７７ｃにおいて左右方向Ｄ３へ所定の間隔をあけて対向配置されている。センサ７７の発光素子７７ａと受光素子７７ｂとの間の空間（センサ７７の光路）には、アクチュエータ７５の干渉部７５ａ１が進入可能である。センサ７７の光路に干渉部７５ａ１が進入し、発光素子７７ａから受光素子７７ｂへの光を遮断すると（つまりセンサ７７がアクチュエータ７５と干渉すると）、センサ７７は「ＯＮ状態」となり、センサ７７が制御部１８０にＯＮ状態であることを示す信号を出力する。一方、センサ７７の光路から干渉部７５ａ１が退避し、発光素子７７ａからの光を受光素子７７ｂが受光すると、センサ７７は「ＯＦＦ状態」となり、センサ７７が制御部１８０にＯＦＦ状態であることを示す信号を出力する。
【００３５】
このようにセンサ７６は、アクチュエータ７４と干渉するときに「ＯＮ状態」をとり、アクチュエータ７４と干渉しないときに「ＯＦＦ状態」をとり、センサ７７は、アクチュエータ７５と干渉するときに「ＯＮ状態」をとり、アクチュエータ７５と干渉しないときに「ＯＦＦ状態」をとる。そして、センサ７６，７７はアクチュエータ７４，７５と干渉するときとしないときとで、異なる信号を出力する。
【００３６】
図４（ｂ）に示すように、２つのセンサ７６，７７、２つの支軸７２ｂ１，７２ｂ２は、角度θ１と角度θ２とが互いに異なるように配置されている（角度θ１＞角度θ２）。角度θ１は、センサ７６の発光素子７６ａ（又は受光素子７６ｂ）と支軸７２ｂ１とを通過する仮想線分Ｌ３が、支軸７２ｂ１を通過する仮想水平面Ｈ１（給紙トレイ２１に積載された用紙１２の表面と平行な平面）となす角度である。角度θ２は、センサ７７の発光素子７７ａ（又は受光素子７７ｂ）と支軸７２ｂ２とを通過する仮想線分Ｌ４が、支軸７２ｂ２を通過する仮想水平面Ｈ２となす角度である。これにより、センサ７６の状態の切替と、センサ７７の状態の切替とが行われる用紙１２の積載量が互いに異なる構成を容易に実現することができる。
【００３７】
図４（ｂ）に示すように、アクチュエータ７４，７５を支持する２つの支軸７２ｂ１，７２ｂ２は、上下方向Ｄ１（給紙トレイ２１に積載された用紙１２の表面と直交する方向）にずれて配置されている。これにより、センサ７６のＯＮ状態とＯＦＦ状態との切替と、センサ７７のＯＮ状態とＯＦＦ状態との切替とが行われる用紙１２の積載量が互いに異なる構成を容易に実現することができる。
【００３８】
ここで、２つのアクチュエータ７４，７５の動作に伴う２つのセンサ７６，７７の状態の切替について、図６〜図９を参照しつつ以下に説明する。
【００３９】
本実施形態における給紙トレイ２１は、例えば、Ａ４サイズの普通紙を最大で２５０枚積載することが可能である。アーム７２は、給紙ローラ７１が最も上方にある用紙１２と接触する位置に配置されるように、用紙１２の残量が減少するに連れて図中反時計回りに用紙１枚分ずつ揺動する。図６（ａ）に示すように、２５０枚に相当する所定量Ａ１（第３所定量）の用紙１２が給紙トレイ２１に積載されている状態の場合、アクチュエータ７４の当接部７４ａ２は、内側ガイド部材１９を支持するフレーム１１ａ１に当接し、アクチュエータ７４は、接触箇所７４ｅが用紙１２から離隔した状態で維持される。また、このときのアクチュエータ７４は、その干渉部７４ａ１がセンサ７６の光路から下方に退避した状態、すなわち、非干渉状態である。つまり、センサ７６は「ＯＦＦ状態（第２状態）」である。一方、積載量が所定量Ａ１であるとき、アクチュエータ７５は、フレーム１１ａ１と当接することがなく、自重により図中時計回り（図４における矢印Ｆ２方向）に付勢されているため、接触箇所７５ｅが最も上方にある用紙１２と接触する。このとき、アクチュエータ７５は、その干渉部７５ａ１がセンサ７７の光路から上方に退避した状態、すなわち、非干渉状態である。つまり、センサ７７は「ＯＦＦ状態（第２状態）」である。
【００４０】
アクチュエータ７４は、アーム７２の揺動に伴う支軸７２ｂ１の変位によってその全体が下方に変位する。アクチュエータ７４の当接部７４ａ２は、給紙トレイ２１の用紙積載量が所定量Ａ１（図６（ａ）参照）から、第１所定枚数（例えば、１５０枚）に相当する所定量Ａ２（図６（ｂ）参照）（第１所定量）の間、フレーム１１ａ１と当接している。このため、アクチュエータ７４はその自由な揺動が規制されながらも図中反時計回り（図４における矢印Ｆ１方向）に揺動する。そして、給紙トレイ２１の用紙積載量が所定量Ａ２になったとき、接触箇所７４ｅが用紙１２に接触する。給紙トレイ２１の用紙積載量が所定量Ａ２のとき、アクチュエータ７４は、その干渉部７４ａ１がセンサ７６の光路から下方に退避した状態（非干渉状態）のままである。つまり、センサ７６は「ＯＦＦ状態」に維持される。このようにアクチュエータ７４は、給紙トレイ２１の用紙積載量が所定量Ａ１以下所定量Ａ２以上の場合、当接部７４ａ２がフレーム１１ａ１に当接し、センサ７６の状態を「ＯＦＦ状態」に確実に維持することができる。一方、アクチュエータ７５は、接触箇所７５ｅが用紙１２に接触した状態で、アーム７２の揺動に伴う支軸７２ｂ２の変位によってその全体が下方に変位しながらアーム７２とは逆方向、すなわち、図中時計回りに揺動する。給紙トレイ２１の用紙積載量が所定量Ａ２になったとき、アクチュエータ７５は、その干渉部７５ａ１がセンサ７７の光路から上方に退避した状態（非干渉状態）のままである。つまり、センサ７７は「ＯＦＦ状態」に維持される。このように給紙トレイ２１の用紙積載量が所定量Ａ２以上の場合、アクチュエータ７４，７５は、対応する各センサ７６，７７が「ＯＦＦ状態」となる揺動姿勢（以下では「第１姿勢Ｂ１，Ｃ１」という）をアーム７２に対してそれぞれ取るように構成されている。
【００４１】
続いて、さらに用紙１２の残量が減少すると、アクチュエータ７４は、アーム７２の揺動に伴う支軸７２ｂ１の変位によってその全体がさらに下方に変位する。図７（ａ）に示すように、アクチュエータ７４の当接部７４ａ２は、給紙トレイ２１の用紙積載量が所定量Ａ２未満、すなわち、所定量Ａ２から１枚の用紙１２が減ると、フレーム１１ａ１から離隔する。このため、アクチュエータ７４は、給紙トレイ２１の用紙積載量が所定量Ａ２未満になると、当接部７４ａ２による規制が解除された状態で図中反時計回りに揺動する。アクチュエータ７４は、給紙トレイ２１の用紙積載量が所定量Ａ２から１枚の用紙１２が減った状態で、その干渉部７４ａ１がセンサ７６の光路に進入した状態（干渉状態）となる。つまり、センサ７６は「ＯＮ状態」に切り替えられる。そして、アクチュエータ７４は、給紙トレイ２１の用紙積載量が第２所定枚数（例えば、５０枚）に相当する所定量Ａ３（図７（ｂ）参照）まで減少する間、干渉部７４ａ１がセンサ７６の光路に進入した状態（干渉状態）のままである。つまり、センサ７６は「ＯＮ状態」に維持される。一方、アクチュエータ７５は、アーム７２の揺動に伴う支軸７２ｂ２の変位によってその全体がさらに下方に変位しながら図中時計回りに揺動する。アクチュエータ７５は、給紙トレイ２１の用紙積載量が所定量Ａ２（図６（ｂ）参照）から所定量Ａ３（図７（ｂ）参照）まで減少する間、その干渉部７５ａ１がセンサ７７の光路から上方に退避した状態（非干渉状態）のままである。つまり、センサ７７は「ＯＦＦ状態」に維持される。このように給紙トレイ２１の用紙積載量が所定量Ａ２未満所定量Ａ３以上の場合、アクチュエータ７４は、センサ７６が「ＯＮ状態」となる揺動姿勢（以下では「第２姿勢Ｂ２」という）をアーム７２に対して取るように構成されている。一方、このときアクチュエータ７５は、給紙トレイ２１の用紙積載量が所定量Ａ２以上の場合と同じく、センサ７７が「ＯＦＦ状態」となる第１姿勢Ｃ１のままである。
【００４２】
そして、さらに用紙１２の残量が減少すると、アクチュエータ７４は、アーム７２の揺動に伴う支軸７２ｂ１の変位によってその全体がさらに下方に変位しながら図中反時計回りに揺動する。アクチュエータ７４は、給紙トレイ２１の用紙積載量が所定量Ａ３（図７（ｂ）参照）から用紙残量１枚に相当する所定量Ａ４（図８（ｂ）参照）（第２所定量、第４所定量）まで減少する間、その干渉部７４ａ１がセンサ７６の光路に進入した状態（干渉状態）のままである。つまり、センサ７６は「ＯＮ状態」に維持される。一方、アクチュエータ７５は、用紙１２の減少に伴って図中時計回りにさらに揺動する。アクチュエータ７５は、図７（ｂ）に示される給紙トレイ２１の用紙積載量が所定量Ａ３の状態から１枚の用紙１２が減った状態（図８（ａ）参照）で、その干渉部７５ａ１がセンサ７７の光路に進入した状態（干渉状態）となる。つまり、センサ７７は「ＯＮ状態」に切り替えられる。そして、アクチュエータ７５は、給紙トレイ２１の用紙積載量が所定量Ａ４（図８（ｂ）参照）まで減少する間、干渉部７５ａ１がセンサ７７の光路に進入した状態（干渉状態）のままである。つまり、センサ７７は「ＯＮ状態」に維持される。このように給紙トレイ２１の用紙積載量が所定量Ａ３未満所定量Ａ４以上の場合、アクチュエータ７４は、給紙トレイ２１の用紙積載量が所定量Ａ２未満所定量Ａ３以上の場合と同じく、センサ７６が「ＯＮ状態」となる第２姿勢Ｂ２のままである。一方、アクチュエータ７５は、センサ７７が「ＯＮ状態」となる揺動姿勢（以下では「第２姿勢Ｃ２」という）をアーム７２に対して取るように構成されている。
【００４３】
給紙トレイ２１の用紙１２がなくなると、図９に示すように、アーム７２は、図中反時計回りにさらに揺動し、給紙ローラ７１が給紙トレイ２１の底面２１ａに接触する。アクチュエータ７４は、その全体が下方に変位しながら図中反時計回りにさらに揺動し、接触箇所７４ｅが底面２１ａに形成された穴２１ｂに落ち込む。このとき、アクチュエータ７４は、その干渉部７４ａ１がセンサ７６の光路から上方に退避した状態（非干渉状態）となる。つまり、センサ７６は「ＯＦＦ状態」に切り替えられる。一方、アクチュエータ７５は、その全体が下方に変位しながら図中時計回りにさらに揺動し、接触箇所７５ｅが底面２１ａに接触する。このとき、アクチュエータ７５は、その干渉部７５ａ１がセンサ７７の光路に進入した状態（干渉状態）のままである。つまり、センサ７７は「ＯＮ状態」に維持される。このように給紙トレイ２１に用紙１２がない場合は、アクチュエータ７４は、センサ７６が「ＯＮ状態」となる揺動姿勢（以下では「第３姿勢Ｂ３」という）をアーム７２に対して取るように構成されている。上述したように、第１姿勢Ｂ１と第３姿勢Ｂ３とでは、センサ７６に対する干渉部７４ａ１の位置は逆である。一方、このときアクチュエータ７５は、給紙トレイ２１の用紙積載量が所定量Ａ３未満所定量Ａ４以上の場合と同じく、センサ７７が「ＯＮ状態」となる第２姿勢Ｃ２のままである。アクチュエータ７４は、給紙トレイ２１の用紙２１が１枚から０枚になると、揺動姿勢が第２姿勢Ｂ２から第３姿勢Ｂ３に切り替わり、センサ７６だけが「ＯＮ状態」から「ＯＦＦ状態」へと切り替わる。このため、給紙トレイ２１における用紙１２が０枚である状態を確実に検知することができる。
【００４４】
このように実施形態において、アクチュエータ７４は、用紙１２とアクチュエータ７４とが接触している、給紙トレイ２１の用紙積載量が所定量Ａ２（第１所定量）から所定量Ａ４（第２所定量）まで変化する間において、給紙トレイ２１に積載された用紙と接触しつつ反時計回りに揺動する。そして、この間において用紙積載量が所定量Ａ２から用紙１枚減少する際に、アクチュエータ７４に対するセンサ７６の干渉及び非干渉の状態が切り替えられる。一方、アクチュエータ７５は、用紙１２とアクチュエータ７５とが接触している、給紙トレイ２１の用紙積載量が所定量Ａ１（第３所定量）から所定量Ａ４（第４所定量）まで変化する間において、給紙トレイ２１に積載された用紙と接触しつつ時計回りに揺動する。そして、この間において用紙積載量が所定量Ａ３から用紙１枚減少する際に、アクチュエータ７５に対するセンサ７７の干渉及び非干渉の状態が切り替えられる。すなわち、アクチュエータ７４に関して、本発明に係る、積載部における媒体の積載量が第１所定量から第２所定量まで変化する間において、センサの状態が切り替えられるという構成が成り立っており、且つ、アクチュエータ７５に関して、本発明に係る、積載部における媒体の積載量が第３所定量から第４所定量まで変化する間において、センサの状態が切り替えられるという構成が成り立っている。
【００４５】
［搬送路３５］
図２に示すように、給紙トレイ２１の後端部から搬送路３５が延出されている。搬送路３５は、湾曲搬送路３３と直線搬送路３４とを含む。湾曲搬送路３３は、プリンタ部１１の後方側を湾曲外側とし且つ前方側を湾曲内側として湾曲しつつ延びている。直線搬送路３４は、前後方向Ｄ２に延びている。給紙トレイ２１に支持された用紙１２は、湾曲搬送路３３を下方から上方へＵターンするように搬送された後、直線搬送路３４を前方に搬送されて記録部４０に導かれる。記録部４０により画像記録が行われた用紙１２は、直線搬送路３４をさらに前方に搬送されて排出トレイ２２に排出される。
【００４６】
湾曲搬送路３３は、所定間隔を隔てて互いに対向する外側ガイド部材１８と内側ガイド部材１９とによって形成されている。これら外側ガイド部材１８と内側ガイド部材１９は、筐体１１ａに支持されている。なお、内側ガイド部材１９は、搬送ローラ対５０の下方に配置されたフレーム１１ａ１に固定されている。外側ガイド部材１８は、湾曲搬送路３３の湾曲外側を形成するガイド面１８ａを有する。内側ガイド部材１９は、湾曲搬送路３３の湾曲内側を形成するガイド面１９ａを有する。直線搬送路３４は、所定間隔を隔てて互いに対向する記録部４０とプラテン４２とによって形成されている。
【００４７】
［搬送ローラ対５０］
搬送ローラ対５０は、図２に示すように、一対のローラ５２，５３により構成されており、記録部４０よりも搬送向き１５の上流側に配置されている。ローラ５２は、ローラ５３よりも下側に配置されており、湾曲搬送路３３から直線搬送路３４に導かれた用紙１２の下面に当接する。ローラ５２は、搬送モータ５０Ｍ（図１０参照）からの駆動力が付与されて回転する駆動ローラである。ローラ５３は、ローラ５２に対向して配置されており、用紙１２の上面に当接する。ローラ５３は、ローラ５２の回転に伴って連れ回る。ローラ５２とローラ５３とは、協働して用紙１２を上下方向Ｄ１から挟持し、搬送向き１５に搬送する。
【００４８】
［排出ローラ対６０］
排出ローラ対６０は、図２に示すように、一対のローラ６２，６３により構成されており、記録部４０よりも搬送向き１５の下流側に配置されている。ローラ６２は、ローラ６３よりも下側に配置されており、直線搬送路３４を搬送される用紙１２の下面に当接する。ローラ６２は、搬送モータ５０Ｍから駆動力が付与されて回転する駆動ローラである。ローラ６３は、ローラ６２に対向して配置されており、用紙１２の上面に当接する。ローラ６３は、ローラ６２の回転に伴って連れ回る拍車ローラである。ローラ６２とローラ６３とは、協働して用紙１２を上下方向Ｄ１から挟持し、搬送向き１５に搬送する。その結果、用紙１２は、排出ローラ対６０より搬送向き１５の下流側に位置する開口１３に向けて搬送され、排出トレイ２１に排出される。
【００４９】
［プラテン４２］
プラテン４２は、図２に示すように、直線搬送路３４の下側で且つ搬送ローラ対５０及び排出ローラ対６０の間に設けられている。プラテン４２は、上下方向Ｄ１において記録部４０に対向して配置され、直線搬送路３４を搬送される用紙１２を下側から支持する板状部材である。
【００５０】
［記録部４０］
図２に示すように、記録部４０は、直線搬送路３４の上側で且つ上下方向Ｄ１においてプラテン４２と対向する位置に配置されている。記録部４０は、キャリッジ４１と、記録ヘッド３８と、駆動機構４０ａ（図１０参照）とを有している。キャリッジ４１は、２つのガイドレール４５，４６によって支持されている。２つのガイドレール４５，４６は、前後方向Ｄ２に互いに離隔して配置され、各々が左右方向Ｄ３に延設されている。キャリッジ４１は、２つのガイドレール４５，４６を跨ぐようにして配置されている。また、駆動機構４０ａは、キャリッジ駆動モータ４０Ｍを有し、制御部１８０の制御により、キャリッジ４１を２つのガイドレール４５，４６に沿って主走査方向である左右方向Ｄ３に往復移動させる。記録ヘッド３８は、キャリッジ４１に搭載されている。記録ヘッド３８は、インクカートリッジ（不図示）から供給されたインクを、下面に設けられたノズル３９から吐出する。すなわち、キャリッジ４１が左右方向Ｄ３に移動している過程において、記録ヘッド３８のノズル３９からインク滴がプラテン４２に向けて吐出されることにより、プラテン４２に支持された用紙１２の上面に画像が記録される。
【００５１】
［制御部１８０］
制御部１８０は、図１０に示すように、ＣＰＵ（Central Processing Unit）１８１、ＲＯＭ（Read Only Memory）１８２、ＲＡＭ（Random Access Memory）１８３、ＡＳＩＣ（Application Specific Integrated Circuit）１８４などを含み、これらが協働して、キャリッジ駆動モータ４０Ｍ、記録ヘッド３８、給紙モータ７１Ｍ、搬送モータ５０Ｍ、表示部１５０等の動作を制御する。例えば、制御部１８０は、ＰＣ等の外部装置から送信された記録指令に基づいて、記録ヘッド３８、キャリッジ駆動モータ４０Ｍ、給紙モータ７１Ｍ、搬送モータ５０Ｍ等を制御して、用紙１２に画像等を記録させる。
【００５２】
また、ＲＯＭ１８２は、２つのセンサ７６，７７の状態の４種類の組み合わせを記憶している。これら４種類の組み合わせは、４段階の用紙残量状態に対応する。具体的には、図１１に示すように、センサ７６がＯＦＦ状態及びセンサ７７がＯＮ状態のときは、用紙なしに対応し、センサ７６がＯＮ状態及びセンサ７７がＯＮ状態のときは、ニアエンプティに対応し、センサ７６がＯＮ状態及びセンサ７７がＯＦＦ状態のときは、用紙中積載に対応し、センサ７６がＯＦＦ状態及びセンサ７７がＯＦＦ状態のときは、用紙大積載に対応する。そして、制御部１８０は、センサ７６，７７からの信号に基づいて用紙残量を表示部１５０に表示させる。
【００５３】
なお、図１０では、ＣＰＵ１８１及びＡＳＩＣ１８４を１つずつ図示しているが、制御部１８０は、ＣＰＵ１８１を１つだけ含み、この１つのＣＰＵ１８１が必要な処理を一括して行うものであってもよいし、ＣＰＵ１８１を複数含み、これら複数のＣＰＵ１８１が必要な処理を分担して行うものであってもよい。また、制御部１８０は、ＡＳＩＣ１８４を１つだけ含み、この１つのＡＳＩＣ１８４が必要な処理を一括して行うものであってもよいし、ＡＳＩＣ１８４を複数含み、これら複数のＡＳＩＣ１８４が必要な処理を分担して行うものであってもよい。
【００５４】
続いて、用紙残量検知について以下に説明する。図６（ａ）及び図６（ｂ）に示すように、給紙トレイ２１の用紙積載量が所定量Ａ２以上の場合、アクチュエータ７４は当接部７４ａ２がフレーム１１ａ１に当接するため、アクチュエータ７４が非干渉状態をとる。このとき、アクチュエータ７５も非干渉状態をとる。２つのセンサ７６，７７はともにＯＦＦ状態となり、制御部１８０にＯＦＦ状態を示す信号をそれぞれ出力する。これにより、制御部１８０は、２つのセンサ７６，７７からの信号に基づいて給紙トレイ２１の用紙１２の残量状態が十分であることを示す大積載状態であると判定する。そして、制御部１８０は、用紙の積載量が大積載であることを表示部１５０に表示させる。
【００５５】
本実施形態においては、表示部１５０に用紙１２の残量状態を表示させているが、外部装置（例えば、ＰＣ）に用紙１２の残量状態を表示させてもよい。
【００５６】
次に、用紙１２に対する記録などが行われるに連れて、用紙１２が減少し、図７（ａ）及び図７（ｂ）に示すように、給紙トレイ２１の用紙積載量が所定量Ａ２未満所定量Ａ３以上の場合、アクチュエータ７４が非干渉状態から干渉状態となり、アクチュエータ７５は引き続き非干渉状態をとる。このとき、センサ７６はＯＮ状態となり、制御部１８０にＯＮ状態を示す信号を出力し、センサ７７は引き続き制御部１８０にＯＦＦ状態を示す信号を出力する。これにより、制御部１８０は、２つのセンサ７６，７７からの信号に基づいて給紙トレイ２１の用紙１２の残量状態がやや少なくなってきていることを示す中積載状態であると判定する。そして、制御部１８０は、用紙１２の積載量が中積載であることを表示部１５０に表示させる。
【００５７】
さらに、用紙１２に対する記録などが行われるに連れて、用紙１２が減少し、図８（ａ）及び図８（ｂ）に示すように、給紙トレイ２１の用紙積載量が所定量Ａ３未満所定量Ａ４以上の場合、アクチュエータ７４は引き続き干渉状態をとり、アクチュエータ７５が非干渉状態から干渉状態となる。このとき、センサ７６は引き続き制御部１８０にＯＮ状態を示す信号を出力し、センサ７７はＯＮ状態となり、制御部１８０にＯＮ状態を示す信号を出力する。これにより、制御部１８０は、２つのセンサ７６，７７からの信号に基づいて給紙トレイ２１の用紙１２の残量状態がかなり少なくなってきていることを示すニアエンプティ状態であると判定する。そして、制御部１８０は、用紙１２の積載量がニアエンプティであることを表示部１５０に表示させる。
【００５８】
そして、給紙トレイ２１の用紙１２がなくなると、図９に示すように、アクチュエータ７４が干渉状態から非干渉状態となり、アクチュエータ７５は引き続き干渉状態をとる。このとき、センサ７６はＯＦＦ状態となり、制御部１８０にＯＦＦ状態を示す信号を出力し、センサ７７は引き続き制御部１８０にＯＮ状態を示す信号を出力する。これにより、制御部１８０は、２つのセンサ７６，７７からの信号に基づいて給紙トレイ２１の用紙１２がないことを示すエンプティ状態であると判定する。そして、制御部１８０は、用紙１２の積載量がエンプティであることを表示部１５０に表示させる。このように制御部１８０は、２つのセンサ７６，７７からの信号に基づいて、給紙トレイ２１の用紙残量を判定し、表示部１５０のその残量状態を表示させることができる。
【００５９】
以上に述べたように、本実施形態による給紙装置２０によると、２つのアクチュエータ７４，７５と２つのセンサ７６，７７とを用いて用紙１２の残量を検出しており、且つ、給紙トレイ２１の用紙１２の積載量が所定量Ａ１から０枚までの間において、センサ７６においてはＯＮ状態及びＯＦＦ状態が２回切り替わり、センサ７７においてはＯＮ状態及びＯＦＦ状態が１回切り替わる。そして、各センサ７６，７７の状態の切替タイミングがともに異なる。すなわち、用紙１２の１つの積載量では２つのセンサ７６，７７の状態の切替が片方だけ行われる。このため、給紙トレイ２１における用紙１２の残量を３段階又は４段階で判別することができる。
【００６０】
特に、本実施形態では、給紙トレイ２１の用紙１２の積載量が所定量Ａ１から０枚まで変化する間において、センサ７６はその状態を２回切り替え、センサ７７はその状態を１回切り替える。そして、センサ７７では、用紙１２の積載量がセンサ７６の２回の状態の切り替えに対応した２つの積載量の間であるときに、その１回の状態の切り替えが行われる。このため、用紙１２の残量検知を４段階で判別することができる。
【００６１】
また、各アクチュエータ７４，７５として、対応する１つのセンサ７６，７７と干渉する、比較的短い小型のアクチュエータを用いることができる。
【００６２】
また、２つのアクチュエータ７４，７５が同じ用紙１２に接触することが可能な用紙１２の積載量の範囲が存在している。より詳細には、２つのアクチュエータ７４，７５は、用紙枚数が第１所定枚数（本実施形態では１５０枚）以下１枚以上の範囲において、同じ用紙１２に接触する。このため、上下方向Ｄ１への２つのアクチュエータ７４，７５の位置が大きく異なることがない。仮に２つのアクチュエータが同じ用紙１２に接触することが可能な用紙１２の積載量の範囲が存在していない場合、これらアクチュエータの位置が上下方向Ｄ１に大きく異なる。本実施形態においては、上下方向Ｄ１において、２つのアクチュエータ７４，７５の位置がほぼ同じ位置である。したがって、４段階の多段階残量検知を実現しつつ、給紙装置２０の上下方向Ｄ１に関するサイズを小さくすることができる。
【００６３】
給紙トレイ２１に積載された用紙１２の残量変化に伴ったアーム７２の揺動により、アクチュエータ７４，７５の揺動支点となる支軸７２ｂ１，７２ｂ２が下方に移動する。このとき、アクチュエータ７４，７５は支軸７２ｂ１，７２ｂ２を中心として揺動する。このため、比較的短い小型のアクチュエータ７４，７５を用いても、用紙１２の残量変化に追従してアクチュエータ７４，７５が用紙１２に接触することが可能な給紙トレイ２１における用紙１２の積載量の範囲を広くすることが可能となる。つまり、アクチュエータ７４は、所定量Ａ２から所定量Ａ４までの積載量の範囲において、用紙１２の残量変化に追従して用紙１２に接触することが可能となる。アクチュエータ７５は、所定量Ａ１から所定量Ａ４までの積載量の範囲において、用紙１２の残量変化に追従して用紙１２に接触することが可能となる。そして、各アクチュエータ７４，７５において、揺動姿勢が第１姿勢Ｂ１，Ｃ１と第２姿勢Ｂ２，Ｃ２との間で切り替わるときの用紙１２の残量を、アクチュエータ７４，７５の形状やセンサ７６，７７の位置などを調整することによって、広い積載量の範囲から適宜選択することができる。したがって、アクチュエータ７４，７５の小型化による給紙装置２０の小型化と、用紙１２の残量検知可能範囲の拡大による利便性向上とを両立させることができる。
【００６４】
アクチュエータ７４は、コイルバネ７４ｄによって矢印Ｆ１方向に付勢されている。このため、用紙１２の残量減少に伴うアクチュエータ７４の揺動動作が確実に行われるようになる。また、アクチュエータ７５は、自重によって矢印Ｆ２方向に付勢されている。これにおいても、用紙１２の残量減少に伴うアクチュエータ７４の揺動動作が行われる。
【００６５】
変形例として、アクチュエータ７５が付勢部材により、矢印Ｆ２方向に付勢されていてもよい。別の変形例として、アクチュエータ７４がコイルバネ７４ｄによって付勢されず、自重によって矢印Ｆ１方向に付勢されていてもよい。なお、付勢部材としては、コイルバネ以外の弾性部材から構成されていてもよい。
【００６６】
また、別の変形例として、図１２に示すように、給紙部２７０は、アクチュエータ２７４，２７５の接触箇所２７４ｅ，２７５ｅが給紙ローラ７１の左右方向Ｄ３（軸方向）の幅内に位置するアーム２７２を有していてもよい。上述の実施形態と同様なものについては、同符号で示し説明を省略する。
【００６７】
図１２に示すように、アクチュエータ２７４，２７５は、支持フレーム２７２ｂに支軸２７２ｂ１，２７２ｂ２を介して揺動可能に支持されている。アクチュエータ２７４の用紙１２との接触箇所２７４ｅは、後方端に配置されている。アクチュエータ２７５の用紙１２との接触箇所２７５ｅは、前後方向Ｄ２の略中央に配置されている。これらアクチュエータ２７４，２７５は、上述の実施形態と同様に、用紙１２の残量の減少に伴って互いに反対方向に揺動するように構成されている。これら接触箇所２７４ｅ，２７５ｅが、給紙ローラ７１の左右方向Ｄ３の幅内に配置されると、接触箇所２７４ｅ，２７５ｅと用紙１２との接触に伴って用紙１２に与えられる回転モーメントが減少する。例えば、アクチュエータの用紙との接触箇所が給紙ローラ７１の幅内に位置していない場合、給紙ローラ７１によって給送される用紙１２には、アクチュエータとの接触によって回転モーメントが生じる。この回転モーメントが大きいと、用紙１２の給送の際に、用紙１２が斜行し搬送不良が生じる。しかしながら、本変形例においては、接触箇所２７４ｅ，２７５ｅが給紙ローラ７１の幅内に位置しているため、当該回転モーメントが抑制される。このため、用紙１２の給送の際に斜行が生じにくくなる。
【００６８】
さらに、別の変形例として、図１３（ａ）に示すように、給紙部を構成する２つのアクチュエータ３７４，３７５、及び、２つのセンサ３７６，３７７が、筐体１１ａに固定されていてもよい。２つのアクチュエータ３７４，３７５、及び、２つのセンサ３７６，３７７は、前後方向に並んで配置されている。アクチュエータ３７４は、本体３７４ａと、干渉部３７４ｂとを有する。アクチュエータ３７４は、筐体１１ａに設けられた支軸３７２を中心として揺動可能に筐体１１ａに支持されている。アクチュエータ３７４は、自重によって図１３（ａ）中反時計回りに付勢されており、給紙トレイ２１に用紙１２がある場合は、最も上方にある用紙１２とその先端が接触する。支軸３７２は、本体３７４ａの前方端部に配置されている。干渉部３７４ｂは、本体３７４ａの前方基端部から突出して形成されている。
【００６９】
アクチュエータ３７５も、アクチュエータ３７４とほぼ同様な構成であり、本体３７５ａと、干渉部３７５ｂとを有する。アクチュエータ３７５は、筐体１１ａに設けられた支軸３７３を中心として揺動可能に筐体１１ａに支持されている。アクチュエータ３７５も、自重によって図１３（ａ）中反時計回りに付勢されており、給紙トレイ２１に用紙１２がある場合は、最も上方にある用紙１２とその先端が接触する。支軸３７３は、本体３７５ａの前方端部に配置されている。干渉部３７５ｂは、本体３７５ａの前方基端部から突出して形成されている。
【００７０】
２つのセンサ３７６，３７７は、上述の実施形態におけるセンサ７６，７７と同様な光センサであり、発光素子３７６ａ，３７７ａ及び受光素子３７６ｂ，３７７ｂとを有する。
【００７１】
図１３（ａ）に示すように、給紙トレイ２１の用紙積載量が所定量Ａ２の場合、アクチュエータ３７４の干渉部３７４ｂ、及び、アクチュエータ３７５の干渉部３７５ｂは、センサ３７６の光路から下方に退避した状態、すなわち、非干渉状態となるように構成されている。給紙トレイ２１の用紙積載量が所定量Ａ２を超え所定量Ａ１以下の場合も、アクチュエータ３７４の干渉部３７４ｂ、及び、アクチュエータ３７５の干渉部３７５ｂは、同様に、センサ３７６の光路から下方に退避した状態（非干渉状態）となるように構成されている。このように給紙トレイ２１の用紙積載量が所定量Ａ１以下所定量Ａ２以上の場合は、アクチュエータ３７４，３７５は、対応する各センサ３７６，３７７が「ＯＦＦ状態」となる揺動姿勢（以下では「第１姿勢Ｂ１１，Ｃ１１」という）をそれぞれ取るように構成されている。
【００７２】
図１３（ｂ）に示すように、給紙トレイ２１の用紙積載量が所定量Ａ３の場合、干渉部３７４ｂはセンサ３７６の光路に進入した状態、すなわち、干渉状態となるように構成されている。一方、干渉部３７５ｂはセンサ３７７の光路から下方に退避した状態（非干渉状態）のままとなるように構成されている。給紙トレイ２１の用紙積載量が所定量Ａ３を超え所定量Ａ２未満の場合も、干渉部３７４ｂは干渉状態を、干渉部３７５ｂは非干渉状態をとるように構成されている。このように給紙トレイ２１の用紙積載量が所定量Ａ２未満所定量Ａ３以上の場合、アクチュエータ３７４は、センサ３７６が「ＯＮ状態」となる揺動姿勢（以下では「第２姿勢Ｂ１２」という）を取るように構成されている。一方、このときアクチュエータ３７５は、給紙トレイ２１の用紙積載量が所定量Ａ２以上の場合と同じく、センサ３７７が「ＯＦＦ状態」となる第１姿勢Ｃ１１のままである。
【００７３】
図１４（ａ）に示すように、給紙トレイ２１の用紙積載量が所定量Ａ４の場合、干渉部３７４ｂはセンサ３７６の光路に進入した状態（干渉状態）のままとなるように構成されている。一方、干渉部３７５ｂはセンサ３７７の光路に進入した状態、すなわち、干渉状態となるように構成されている。給紙トレイ２１の用紙積載量が所定量Ａ４を超え所定量Ａ３未満の場合も、干渉部３７４ｂは干渉状態を、干渉部３７５ｂは干渉状態をとるように構成されている。このように給紙トレイ２１の用紙積載量が所定量Ａ３未満所定量Ａ４以上の場合、アクチュエータ３７４は、給紙トレイ２１の用紙積載量が所定量Ａ２未満所定量Ａ３以上の場合と同じく、センサ３７６が「ＯＮ状態」となる第２姿勢Ｂ１２のままである。一方、アクチュエータ３７５は、センサ３７７が「ＯＮ状態」となる揺動姿勢（以下では「第２姿勢Ｃ１２」という）を取るように構成されている。
【００７４】
図１４（ｂ）に示すように、給紙トレイ２１の用紙１２がなくなると、本体３７４ａはその先端が穴２１ｂに落ち込む。この状態において、干渉部３７４ｂはセンサ３７６の光路から上方に退避した状態、すなわち、非干渉状態となるように構成されている。一方、本体３７５ａはその先端が底面２１ａに接触する。この状態において、干渉部３７５ｂはセンサ３７７の光路に進入した状態（干渉状態）のままとなるように構成されている。このように給紙トレイ２１に用紙１２がない場合は、アクチュエータ３７４は、センサ３７６が「ＯＮ状態」となる揺動姿勢（以下では「第３姿勢Ｂ１３」という）を取るように構成されている。上述したように、第１姿勢Ｂ１１と第３姿勢Ｂ１３とでは、センサ３７６に対する干渉部７４ａ１の位置は逆である。一方、このときアクチュエータ３７５は、給紙トレイ２１の用紙積載量が所定量Ａ３未満所定量Ａ４以上の場合と同じく、センサ３７７が「ＯＮ状態」となる第２姿勢Ｃ１２のままである。
【００７５】
このように本変形例においても、上述の実施形態に同様に、給紙トレイ２１における用紙１２の残量を４段階で判別することができる。また、本変形例においては、１つのアクチュエータ３７４，３７５に１つのセンサ３７６，３７７が対応して設けられる。このため、各アクチュエータ３７４，３７５の干渉部３７４ｂ，３７５ｂの長さを短くすることができる。仮に、１つのアクチュエータに対して２つのセンサを用いると、２つのセンサに干渉可能とするために干渉部の長さが長くなり、アクチュエータ全体の長さが長くなる。しかしながら、本変形例においては、比較的短い小型のアクチュエータ３７４，３７５を用いることができる。また、２つのアクチュエータ３７４，３７５は、上述の実施形態と同様に、同じ用紙１２に接触することが可能な用紙１２の積載量の範囲が存在している。このため、上下方向Ｄ１への２つのアクチュエータ３７４，３７５の位置が大きく異なることがない。本実施形態においては、上下方向Ｄ１において、２つのアクチュエータ３７４，３７５の位置がほぼ同じ位置である。したがって、４段階の多段階残量検知を実現しつつ、給紙装置２０の上下方向Ｄ１に関するサイズを小さくすることができる。
【００７６】
以上、本発明の好適な実施の形態について説明したが、本発明は上述の実施の形態に限られるものではなく、特許請求の範囲に記載した限りにおいて様々な変更が可能なもので
ある。
例えば、上述した実施形態において、アクチュエータ７４は、用紙１２とアクチュエータ７４とが接触している、給紙トレイ２１の用紙積載量が所定量Ａ２（第１所定量）から所定量Ａ４（第２所定量）まで変化する間において、アクチュエータ７４に対するセンサ７６の干渉及び非干渉の状態が１回だけ切り替えられるものであるが、これを２回切り替えられるようにしてもよい。このような構成は、上述した実施形態において、アクチュエータ７４に係るセンサ７６がＯＮからＯＦＦに変化した直後における給紙トレイ２１の用紙残量が１枚以上の適当な枚数となるようにすることによって実現可能である。すなわち、この場合、アクチュエータ７４が用紙に接触している間に、センサ７６の状態が２回切り替えられることになる。そして、本実施形態では、アクチュエータ７４に当接部７４ａ２を設け、給紙トレイ２１の用紙積載量が所定量Ａ１以下所定量Ａ２以上のときに当接部７４ａ２がフレーム１１ａ１に当接するようにしているので、上述したようにセンサ７６の状態を所定量Ａ２以上において確実に「ＯＦＦ状態」に維持することができる。なお、給紙トレイ２１の用紙積載量が所定量Ａ１以下所定量Ａ２以上のときにアクチュエータ７４の一部がフレーム１１ａ１に当接しない構成を採用した場合においても、所定量Ａ２以上においてセンサ７６の状態を「ＯＦＦ状態」とすること、つまりアクチュエータ７４が用紙に接触している間にセンサ７６の状態が２回切り替えられるようにすることが可能である。
例えば、第１のアクチュエータが給紙トレイ２１の最大用紙積載量よりも小さい所定量Ｇ１から所定量Ａ４まで用紙１２と接触し、第２のアクチュエータが所定量Ｇ１よりも小さい所定量Ｇ２から所定量Ａ４まで用紙１２と接触する構成でもよい。つまり、２つのアクチュエータがともに上述のアクチュエータ７４と同様に大積載量のときにフレームと当接する構成であってもよい。
【００７７】
また、上述した実施形態では第１所定量が最大用紙積載量よりも少ない量であり、第３所定量が最大用紙積載量であるが、第１所定量が最大用紙積載量であり、第３所定量が最大用紙積載量よりも少ない量であってもよい。さらに、上述した実施形態では第２所定量及び第４所定量が用紙１枚に相当する量であるが、それよりも多い量であってもよい。また、第２所定量と第４所定量とが異なる量であってもよい。
【００７８】
また、給紙トレイ２１の用紙積載量が所定量Ａ１から０枚までの間において、センサ７６，３７６においてはＯＮ状態及びＯＦＦ状態が１回切り替わり、センサ７７，３７７においてはＯＮ状態及びＯＦＦ状態が２回切り替わる構成でもよい。さらには、センサ７６，７７，３７６，３７７が共にＯＮ状態及びＯＦＦ状態が１又は２回切り替わる構成でもよい。
【００７９】
センサ７６，７７，３７６，３７７は、アクチュエータ７４，７５，３７４，３７５の干渉部７４ａ１，７５ｂ，３７４ｂ，３７５ｂが接触することで、ＯＮ状態とＯＦＦ状態とを切り替えるメカセンサであってもよい。
【００８０】
アクチュエータ７４，７５、２７４，２７５の接触箇所７４ｅ，７５ｅ，２７４ｅ，２７５ｅは、用紙１２と接触することが可能であれば、アクチュエータ７４，７５、２７４，２７５のどこに設けられていてもよい。アクチュエータ７４，７５、２７４，２７５は、前後方向Ｄ２に重なっていなくてもよい。アクチュエータ３７４，３７５は、前後方向Ｄ２に重なっていてもよい。
【００８１】
本発明は、複合機のみならず、ライン式・シリアル式のインクジェットプリンタや、レーザー式やサーマル式などの記録装置の給紙装置にも適用可能である。シートであれば、用紙１２以外のものであってもよい。
【符号の説明】
【００８２】
１２  用紙（シート状の媒体）
２０  給紙装置（給送装置）
２１  給紙トレイ（積載部）
７１  給紙ローラ（給送ローラ）
７２  アーム
７４，２７４，３７４  アクチュエータ（第１アクチュエータ）
７５，２７５，３７５  アクチュエータ（第２アクチュエータ）
７４ｄ  コイルバネ（付勢部材）
７６，３７６  センサ（第１センサ）
７７，３７７  センサ（第２センサ）
７２ｂ１，３７２  支軸（第１支点）
７２ｂ２，３７３  支軸（第２支点）
７４ｅ，７５ｅ，２７４ｅ，２７５ｅ  接触箇所
７９  支軸（第３支点）
【図１】
0006398715.tif 000002
【図２】
0006398715.tif 000003
【図３】
0006398715.tif 000004
【図４】
0006398715.tif 000005
【図５】
0006398715.tif 000006
【図６】
0006398715.tif 000007
【図７】
0006398715.tif 000008
【図８】
0006398715.tif 000009
【図９】
0006398715.tif 000010
【図１０】
0006398715.tif 000011
【図１１】
0006398715.tif 000012
【図１２】
0006398715.tif 000013
【図１３】
0006398715.tif 000014
【図１４】
0006398715.tif 000015